(57)【特許請求の範囲】
【請求項１】
ロールペーパー出し入れ口を上部と下部に有し、ロールペーパーを蓋裏面に押しつけて保持するための板バネ式押さえ板をロールペーパー出し入れ口に固着したケース本体と、該板バネ式押さえ板の先端部分の当接部位に、一方向に毛足が向いた素材をロールペーパーの引き出し方向に順目なるように固着した蓋を有するロールペーパーケースにおいて、蓋裏の上部端と下部端に固着するカッターの刃先が鋸の刃先状であり、かつ、該カッターは長手方向に沿って上下中間部でくの字に曲げられ、更に、蓋裏面の上部端および下部端より該刃先が少し突出するように該カッターを取り付けたことを特徴とするロールペーパーケース。
【発明の詳細な説明】
【技術分野】
【０００１】  本発明は、ロールペーパーの収納ケースに関するものである。
【背景技術】
【０００２】  従来、ロールペーパー（トイレットペーパー、キッチンペーパー等）の収納ケースにおいては、ロールペーパーの保持機能に加えてカット機能が複雑で不十分であった。
【特許文献１】特開２００２−３４７７７９号公報
【特許文献２】特開２００２−１７６０９号公報
【特許文献３】実開平７−３９６９３号公報
【特許文献４】登録実用新案第３００９３３２号公報
【発明の開示】
【発明が解決しようとする課題】
【０００３】従来、ロールペーパー等の収納ケースには、ロールペーパーの保持機能及びカット機能が複雑であるために、ロールペーパーをケースに収納してセットし、逐次取り出すことが複雑である。即ち幼児や、高齢者、身体の不自由者等にとってロールペーパーの詰め替えと使用時のロールペーパーの引き出しおよび切断と次回取り出しへの備えが十分とは言えなかった。【０００４】従来のロールペーパー等の収納ケースのカット機能は、蓋を押さえてロールペーパーを固定することと並行してカットしなければならないため両手を使う必要がある。また、保持機能が不十分のため、カット後にケースの動揺によって折角引き出したロールペーパーのカット後の残余端部がロールペーパーケース内に逆戻りをするために、次の使用時の引き出しが困難となる問題を抱えていた。
【課題を解決するための手段】
【０００５】  本発明は、ロールペーパー出し入れ口を上部と下部に有し、ロールペーパーを蓋裏面に押しつけて保持するための板バネ式押さえ板をロールペーパー出し入れ口に固着したケース本体と、該板バネ式押さえ板の先端部分の当接部位に、一方向に毛足が向いた素材をロールペーパーの取り出し方向に順目となるように固着した蓋を有するロールペーパーケースにおいて、蓋の上部端と下部端に固着するカッターの刃先が鋸の刃先状であり、かつ、該カッターは長手方向に沿って上下中間部でケース本体側にくの字に曲げられ、更に、蓋裏面の上部端および下部端より該刃先が少し突出するように該カッターを取り付けたことを特徴とするロールペーパーケースを提案するものである。
【発明の効果】
【０００６】  本発明のロールペーパーケースは、誰もが簡単に片手でロールペーパーの引き出しとカットが可能であり、しかもカット後の残余ロールペーパーがケース側に逆戻りしない機能のロールペーパーケースを提供できる。【０００７】  即ち、本発明のロールペーパーケースは、常にロールペーパーをケース本体に固着した板バネ式押さえ板と、該板バネ式押さえ板の先端と当接する蓋裏面に一方向に毛足が向いた素材を取り出す方向に対して順目となるように固着した蓋によって挟持させることで、ロールペーパーを適量引き出した後にカットする時に、その都度蓋やケースを押さえる必要はなく片手で簡単にカットでき、しかもカット後は残余のロールペーパーは絶対にケース側に逆戻りしないのである。
【発明を実施するための最良の形態】
【０００８】本発明におけるロールペーパーケースのケース本体（１）は、ロールペーパー（１１）が収納できる大きさとし、一面をロールペーパー出し入れ口面（１２）として開口されている。
ケース本体の出し入れ口面（１２）の片側面から他方の片側面にかけて着脱自在の蓋（２）で覆う。蓋（２）とケース本体（１）との接合はマジックテープ（登録商標）等が最適である。
蓋（２）の縦寸法は、ロールペーパー出し入れ口面（１２）より多少長くすることが好ましく、ロールペーパー出し入れ口面（１２）のロールペーパーで出し仕入れ口上部（１３）及びロールペーパー出し入れ口下部（１４）より蓋（２）側を略３ｃｍ程度長くし、ケース本体（１）の開口部のロールペーパー出し入れ口面（１２）より突出させる。この蓋（２）の蓋裏面（３）とロールペーパー出し入れ口面（１２）との間の隙間をロールペーパー（１１）の取り出し口とする。【０００９】ロールペーパー（１１）のロールペーパー出し入れ口面（１２）のロールペーパー出し入れ口上部（１３）とロールペーパー出し入れ口下部（１４）に、略３ｃｍ程度突出させた蓋裏面（３）に対して圧力がかかるように板バネ式押さえ板（４）を固着させる。該板バネ式押さえ板（４）の大きさは、略縦１ｃｍ、略横４ｃｍの長方形で角を丸くしておくことが好ましい。
但し、該板バネ式押さえ板（４）に用いる板バネの素材及び圧力により大きさや形状は異ってもよい。即ち、引き出すロールペーパー（１１）を保持する程度の抵抗がかかる圧力とすることで良い。【００１０】この板バネ式押さえ板（４）の先端と当接する蓋裏面（３）に一方向に毛足が向いた素材（５）（例えばコールテン、ベロワ、ベッチン等）をロールペーパーを引き出す方向に対して順目（６）となるように固着する。
この板バネ式押さえ板（４）と一方向に毛足が向いた素材（５）によりロールペーパー（１１）は引き出すときは円滑に引き出せることに加え、ロールペーパー（１１）が逆戻りしようと力が加わると、板バネ式押さえ板（４）の圧力と、板バネ式押さえ板（４）の先端が当接する一方向に毛足が向いた素材（５）に食い込むと同時に該一方向に毛足が向いた素材（５）の逆毛効果により、ほぼ完全にロールペーパー（１１）の逆戻りを食い止めることができる。
なお、蓋（２）は板バネ式押さえ板（４）の圧力に耐え得る程度の堅牢さが必要である。【００１１】本発明の最大の特徴はカッター（７）にある。
該カッター（７）は刃先を鋸の刃先状とし、蓋裏面（３）に固着するものであるが、該カッター（７）の長手方向に沿って上下中間部をケース本体（１）側に向けて、くの字に曲げた形状とした後に蓋裏面（３）に固着する。
該カッター（７）をくの字に曲折すること、かつ取り付け位置を蓋裏面（３）の上部端及び下部端より該カッターの刃先が少し突出するように該カッター（７）を取り付けることによって引き出したロールペーパーはかなり小さな力で自由にカットできる。【００１２】また、本発明の技術構成要件の必須ではないが、本ロールペーパーケースの持ち運びに便利な手提げ紐（１０）や、適当な高さに保つための吊り下げ金具（９）などをケース本体（１）に固着することで使い勝手の良いロールペーパーケースとなる。
【図面の簡単な説明】
【００１３】
【図１】  本ロールペーパーケースの上から見た斜視図
【図２】  本ロールペーパーケースの蓋を開けた状態を上から見た斜視図
【図３】  本ロールペーパーケースの横からの断面図
【図４】  本ロールペーパーケースを後ろ上から見た斜視図
【符号の説明】
【００１４】    １  ケース本体
２  蓋
３  蓋裏面
４  板バネ式押さえ板
５  一方方向に毛足が向いた素材
６  順目方向
７  カッター
８  マジックテープ（登録商標）
９  吊り下げ金具
１０  ロールペーパー
１１  ロールペーパー出し入れ口
１２  ロールペーパー足し入れ口上辺部
１３  ロールペーパー出し入れ口下辺部
【図１】
0004843964.tif 000002
【図２】
0004843964.tif 000003
【図３】
0004843964.tif 000004
【図４】
0004843964.tif 000005